【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
工業用エアゾール、消費者用エアゾールまたは医薬用エアゾールにおける、少なくとも５重量％の１，３，３，３−テトラフルオロプロペン（ＨＦＯ−１２３４ｚｅ）を含む組成物の噴射剤としての使用。
【請求項２】
工業用エアゾールが、コンタクトクリーナー、ダスターまたは潤滑剤スプレーである、請求項１に記載の使用。
【請求項３】
消費者用エアゾールが、個人用ケア製品、家財製品または自動車用製品である、請求項１に記載の使用。
【請求項４】
医薬用エアゾールが、計量投与吸入器用である、請求項１に記載の使用。
【請求項５】
前記噴射剤がＨＦＯ−１２３４ｚｅを５〜９９重量％の量で含む、請求項１〜４のいずれかに記載の使用。
【請求項６】
前記噴射剤がＨＦＯ−１２３４ｚｅを５〜９５重量％の量で含む、請求項１〜４のいずれかに記載の使用。
【請求項７】
前記噴射剤がＨＦＯ−１２３４ｚｅから本質的になる、請求項１〜４のいずれかに記載の使用。
【請求項８】
前記噴射剤がＨＦＯ−１２３４ｚｅからなる、請求項１〜４のいずれかに記載の使用。
【請求項９】
前記ＨＦＯ−１２３４ｚｅが少なくとも約９０重量％のトランスＨＦＯ−１２３４ｚｅを含む、請求項１〜８のいずれかに記載の使用。
【請求項１０】
前記噴射剤が、さらに、ジフルオロメタン（HFC-32）、ペンタフルオロエタン（HFC-125）、1,1,2,2-テトラフルオロエタン（HFC-134）、1,1,1,2-テトラフルオロエタン（HFC-134a）、  ジフルオロエタン（HFC-152a）、1,1,1,2,3,3,3-ヘプタフルオロプロパン（HFC-227ea）、1,1,1,3,3-ペンタフルオロプロパン（HFC-245fa）、1,1,1,3,3-ペンタフルオロブタン（HFC-365mfc）、水、及びCO2からなる群から選ばれる１以上の化合物を含む、請求項１〜６のいずれかに記載の使用。
【請求項１１】
前記噴射剤が、さらに、1,1,1,2-テトラフルオロエタン（HFC-134a）、  ジフルオロエタン（HFC-152a）、1,1,1,2,3,3,3-ヘプタフルオロプロパン（HFC-227ea）、CO2、またはこれらの組み合わせからなる群から選ばれる１以上の化合物を含む、請求項１〜６のいずれかに記載の使用。
【請求項１２】
前記噴射剤が、さらに、1,1,1,2-テトラフルオロエタン（HFC-134a）、1,1,1,2,3,3,3-ヘプタフルオロプロパン（HFC-227ea）、またはこれらの組み合わせからなる群から選ばれる１以上の化合物を含む、請求項１〜６のいずれかに記載の使用。
【請求項１３】
前記噴射剤が、さらに、ジフルオロエタン（HFC-152a）を含む、請求項１〜６のいずれかに記載の使用。
【請求項１４】
前記噴射剤が、さらに、1,1,1,2-テトラフルオロエタン（HFC-134a）を含む、請求項１〜６のいずれかに記載の使用。
【請求項１５】
前記噴射剤が、さらに、1,1,1,2,3,3,3-ヘプタフルオロプロパン（HFC-227ea）を含む、請求項１〜６のいずれかに記載の使用。
【請求項１６】
前記噴射剤が、さらに、CO2を含む、請求項１〜６のいずれかに記載の使用。
【請求項１７】
前記噴射剤が、さらに、下記式II： 
【化１】
2017128733.tif 000001
（ここでＲはそれぞれ独立してＣｌ、ＦまたはＨであり、Ｒ’は（ＣＲ２）ｎＹであり、ＹはＣＦ３であり、そしてｎは０である）
で表わされる１以上のフルオロアルケンを含む、請求項１〜６のいずれかに記載の使用。
【請求項１８】
前記ＨＦＯ−１２３４ｚｅが少なくとも約９０重量％のトランスＨＦＯ−１２３４ｚｅを含む、請求項１０〜１７のいずれかに記載の使用。
【請求項１９】
前記組成物が１０００以下の地球温暖化係数（ＧＷＰ）を有する、請求項１〜１８のいずれかに記載の使用。
【請求項２０】
前記組成物が５００以下の地球温暖化係数（ＧＷＰ）を有する、請求項１９に記載の使用。
【請求項２１】
前記組成物が１５０以下の地球温暖化係数（ＧＷＰ）を有する、請求項１９に記載の使用。
【請求項２２】
前記組成物が１００以下の地球温暖化係数（ＧＷＰ）を有する、請求項１９に記載の使用。
【請求項２３】
前記組成物が７５以下の地球温暖化係数（ＧＷＰ）を有する、請求項１９に記載の使用。
【請求項２４】
前記組成物が０．０５以下のオゾン破壊係数（ＯＤＰ）を有する、請求項１〜２３のいずれかに記載の使用。
【請求項２５】
前記組成物が０．０２以下のオゾン破壊係数（ＯＤＰ）を有する、請求項２４に記載の使用。
【請求項２６】
前記組成物が０のオゾン破壊係数（ＯＤＰ）を有する、請求項２４に記載の使用。
【請求項２７】
工業用エアゾール、消費者用エアゾールまたは医薬用エアゾールにおける、
少なくとも５重量％の１，３，３，３−テトラフルオロプロペン（ＨＦＯ−１２３４ｚｅ）、及び
場合によって、1,1,1,2-テトラフルオロエタン（HFC-134a）、1,1,1,2,3,3,3-ヘプタフルオロプロパン（HFC-227ea）、またはこれらの組み合わせからなる群から選ばれる１以上の化合物
を含む組成物の噴射剤としての使用であって、
前記ＨＦＯ−１２３４ｚｅが少なくとも約９０重量％のトランスＨＦＯ−１２３４ｚｅを含み、
前記組成物が１０００以下の地球温暖化係数（ＧＷＰ）及び０．０５以下のオゾン破壊係数（ＯＤＰ）を有する、使用。
【請求項２８】
（ａ）少なくとも５重量％の１，３，３，３−テトラフルオロプロペン（ＨＦＯ−１２３４ｚｅ）を含む噴射剤、及び
（ｂ）噴射されるべき材料
を含む霧化しうる組成物であって、
前記噴射されるべき材料がベータ作用薬またはコルチコステロイドから選ばれる、霧化しうる組成物。
【請求項２９】
前記噴射剤組成物がＨＦＯ−１２３４ｚｅを５〜９９重量％の量で含む、請求項２８に記載の霧化しうる組成物。
【請求項３０】
前記噴射剤組成物がＨＦＯ−１２３４ｚｅを５〜９５重量％の量で含む、請求項２８に記載の霧化しうる組成物。
【請求項３１】
前記噴射剤組成物がＨＦＯ−１２３４ｚｅから本質的になる、請求項２８に記載の霧化しうる組成物。
【請求項３２】
前記噴射剤組成物がＨＦＯ−１２３４ｚｅからなる、請求項２８に記載の霧化しうる組成物。
【請求項３３】
前記ＨＦＯ−１２３４ｚｅが少なくとも約９０重量％のトランスＨＦＯ−１２３４ｚｅを含む、請求項２８〜３２のいずれかに記載の霧化しうる組成物。
【請求項３４】
前記噴射剤組成物が、さらに、ジフルオロメタン（HFC-32）、ペンタフルオロエタン（HFC-125）、1,1,2,2-テトラフルオロエタン（HFC-134）、1,1,1,2-テトラフルオロエタン（HFC-134a）、  ジフルオロエタン（HFC-152a）、1,1,1,2,3,3,3-ヘプタフルオロプロパン（HFC-227ea）、1,1,1,3,3-ペンタフルオロプロパン（HFC-245fa）、1,1,1,3,3-ペンタフルオロブタン（HFC-365mfc）、水、CO2、及びこれらの組み合わせからなる群から選ばれる１以上の化合物を含む、請求項２８〜３０のいずれかに記載の霧化しうる組成物。
【請求項３５】
前記噴射剤組成物が、さらに、1,1,1,2-テトラフルオロエタン（HFC-134a）、  ジフルオロエタン（HFC-152a）、1,1,1,2,3,3,3-ヘプタフルオロプロパン（HFC-227ea）、及びCO2からなる群から選ばれる１以上の化合物を含む、請求項２８〜３０のいずれかに記載の霧化しうる組成物。
【請求項３６】
前記噴射剤組成物が、さらに、1,1,1,2-テトラフルオロエタン（HFC-134a）、1,1,1,2,3,3,3-ヘプタフルオロプロパン（HFC-227ea）、及びこれらの組み合わせからなる群から選ばれる１以上の化合物を含む、請求項２８〜３０のいずれかに記載の霧化しうる組成物。
【請求項３７】
前記噴射剤組成物が、さらに、ジフルオロエタン（HFC-152a）を含む、請求項２８〜３０のいずれかに記載の霧化しうる組成物。
【請求項３８】
前記噴射剤組成物が、さらに、1,1,1,2-テトラフルオロエタン（HFC-134a）を含む、請求項２８〜３０のいずれかに記載の霧化しうる組成物。
【請求項３９】
前記噴射剤組成物が、さらに、1,1,1,2,3,3,3-ヘプタフルオロプロパン（HFC-227ea）を含む、請求項２８〜３０のいずれかに記載の霧化しうる組成物。
【請求項４０】
前記噴射剤組成物が、さらに、CO2を含む、請求項２８〜３０のいずれかに記載の霧化しうる組成物。
【請求項４１】
前記噴射剤が、さらに、下記式II： 
【化２】
2017128733.tif 000002
（ここでＲはそれぞれ独立してＣｌ、ＦまたはＨであり、Ｒ’は（ＣＲ２）ｎＹであり、ＹはＣＦ３であり、そしてｎは０である）
で表わされる１以上のフルオロアルケンを含む、請求項２８〜３０のいずれかに記載の霧化しうる組成物。
【請求項４２】
前記ＨＦＯ−１２３４ｚｅが少なくとも約９０重量％のトランスＨＦＯ−１２３４ｚｅを含む、請求項３４〜４１のいずれかに記載の霧化しうる組成物。
【請求項４３】
前記噴射剤組成物が１０００以下の地球温暖化係数（ＧＷＰ）を有する、請求項２８〜４２のいずれかに記載の霧化しうる組成物。
【請求項４４】
前記噴射剤組成物が５００以下の地球温暖化係数（ＧＷＰ）を有する、請求項４３に記載の霧化しうる組成物。
【請求項４５】
前記噴射剤組成物が１５０以下の地球温暖化係数（ＧＷＰ）を有する、請求項４３に記載の霧化しうる組成物。
【請求項４６】
前記噴射剤組成物が１００以下の地球温暖化係数（ＧＷＰ）を有する、請求項４３に記載の霧化しうる組成物。
【請求項４７】
前記噴射剤組成物が７５以下の地球温暖化係数（ＧＷＰ）を有する、請求項４３に記載の霧化しうる組成物。
【請求項４８】
前記組成物が０．０５以下のオゾン破壊係数（ＯＤＰ）を有する、請求項２８〜４７のいずれかに記載の霧化しうる組成物。
【請求項４９】
前記噴射剤組成物が０．０２以下のオゾン破壊係数（ＯＤＰ）を有する、請求項４８に記載の霧化しうる組成物。
【請求項５０】
前記噴射剤組成物が０のオゾン破壊係数（ＯＤＰ）を有する、請求項４８に記載の霧化しうる組成物。
【請求項５１】
前記霧化しうる組成物がエアゾールの形態である、請求項２８〜５０のいずれかに記載の霧化しうる組成物。
【請求項５２】
前記霧化しうる組成物が計量投与吸入器の形態である、請求項２８〜５０のいずれかに記載の霧化しうる組成物。
【請求項５３】
（ａ）少なくとも５重量％の１，３，３，３−テトラフルオロプロペン（ＨＦＯ−１２３４ｚｅ）、及び、場合によって、1,1,1,2-テトラフルオロエタン（HFC-134a）、1,1,1,2,3,3,3-ヘプタフルオロプロパン（HFC-227ea）、及びこれらの組み合わせからなる群から選ばれる１以上の化合物を含む噴射剤組成物、並びに
（ｂ）噴射されるべき材料
を含む、計量投与吸入器の形態である霧化しうる組成物であって、
前記ＨＦＯ−１２３４ｚｅが少なくとも約９０重量％のトランスＨＦＯ−１２３４ｚｅを含み、
前記噴射されるべき材料がベータ作用薬またはコルチコステロイドから選ばれ、
前記噴射剤組成物が１０００以下の地球温暖化係数（ＧＷＰ）及び０．０５以下のオゾン破壊係数（ＯＤＰ）を有する、霧化しうる組成物。